(57)【要約】【課題】品質管理工程において金属探知機検査にて誤検知をすることがないよう、金属物質を使用しないで遮光性を持たせた食品容器用の遮光性印刷ラベルを提供する。【解決手段】本発明による食品容器用の遮光性印刷ラベルの白色の印刷用表層は、ランダムポリプロピレン、白色マスターバッチ、帯電防止剤マスターバッチを配合したものである。支持用の中間層は、ホモポリプロピレン、充填材マスターバッチ、白色マスターバッチを配合したものである。遮光用の裏層は、ホモポリプロピレンに加色混合黒色マスターバッチ、帯電防止剤マスターバッチを配合したものである。【選択図】図１
2010160303.tif 000002
【特許請求の範囲】
【請求項１】
ランダムポリプロピレン、白色マスターバッチ、帯電防止剤マスターバッチを配合した白色の印刷用表層と、
ホモポリプロピレン、充填材マスターバッチ、白色マスターバッチを配合した支持用の中間層と、
ホモポリプロピレン、加色混合黒色マスターバッチ、帯電防止剤マスターバッチを配合した遮光用の裏層と、
から構成したことを特徴とする食品容器用の遮光性印刷ラベル。
【請求項２】
請求項１記載の食品容器用の遮光性印刷ラベルにおいて、
前記加色混合黒色マスターバッチは、藍色着色剤（シアン顔料）、紅色着色剤（マゼンタ顔料）、黄色着色剤（イエロー顔料）を混ぜ合わせたものであることを特徴とする食品容器用の遮光性印刷ラベル。
【発明の詳細な説明】
【技術分野】
【０００１】
本発明は、食品容器用の遮光性印刷ラベルに関する。
【背景技術】
【０００２】
インジェクション成形・ブロー成形用のインモールドラベルが種々開発されている。
特許文献１記載の発明は、牛乳プリン、ヨーグルト、チーズケーキ、生ミルク、ババロア等の容器として遮光性樹脂容器を提案している。
これらのラベルは印刷された状態で容器の型内に配置され射出された樹脂と一体化されて容器を形成する。そのため、遮光性印刷ラベルは、食品容器内に外部からの光の進入を阻止し食品の劣化を防止するとともに、表面に良好な印刷を可能にする必要がある。
一方多くの食品において、金属粉末の混入等がないように金属探知機による検査が行われるが、現存する遮光剤のあるものは金属探知機の発生する磁力線に反応して、誤検出の原因となることがある。
従来、遮光性を持たせるためには、着色剤の選定として黒色剤を選定することが最も得策であるとされている。そしてこの黒色剤を構成する顔料にはカーボンブラックや金属物質である酸化鉄が使用されることが多い。この遮光性を付与するために用いられる遮光用の着色剤が前述するように磁力線に反応するという問題とともに、何らかの原因で食品に混入する可能性もあるから、人体に影響を与えない適当な遮光材料の選択が必要である。
【先行技術文献】
【特許文献】
【０００３】
【特許文献１】特許第３７４９９１４号公報
【０００４】
（カーボンブラックの発癌性について）
カーボンブラックは、国際癌研究機関（ＩＡＲＣ）ではグループ２Ｂ（発癌性があるかもしれない）に属するとされている。よって、本発明では用いないものとする。
グループ区分については、以下の通りである。
・グループ１    ：発癌性がある
・グループ２Ａ  ：おそらく発癌性がある
・グループ２Ｂ  ：発癌性があるかもしれない
・グループ３    ：発癌性を分類出来ない、わからない
・グループ４    ：おそらく発癌性がない
【発明の概要】
【発明が解決しようとする課題】
【０００５】
本発明の目的は、使用着色剤に発癌性物質等の有害物質を含まず、尚且つ上記にも述べたが、品質管理工程において金属探知機検査にて誤検知をすることがないよう、金属物質を使用しないで遮光性を持たせた食品容器用の遮光性印刷ラベルを提供することにある。
【課題を解決するための手段】
【０００６】
前記目的を達成するために、本発明による請求項１記載の食品容器用の遮光性印刷ラベルは、
ランダムポリプロピレン、白色マスターバッチ、帯電防止剤マスターバッチを配合した白色の印刷用表層と、
ホモポリプロピレン、充填材マスターバッチ、白色マスターバッチを配合した支持用の中間層と、
ホモポリプロピレン、加色混合黒色マスターバッチ、帯電防止剤マスターバッチを配合した遮光用の裏層と、から構成されている。
本発明による請求項２記載の食品容器用の遮光性印刷ラベルは、請求項１記載の食品容器用の遮光性印刷ラベルにおいて、
前記加色混合黒色マスターバッチは、藍色着色剤（シアン顔料）、紅色着色剤（マゼンタ顔料）、黄色着色剤（イエロー顔料）を混ぜ合わせたものであることを特徴とするものである。
【０００７】
本発明による食品容器用の遮光性印刷ラベルを実施例に対応させて要約すると、次のとおりである。すなわち、前述の食品容器用の遮光性印刷ラベルにおいて、
前記表層，中間層，裏層の３層構造の厚さは１００μｍであり、層構成比は０．７５：５：１であり、
前記表層はランダムポリプロピレン（ＭＦＲ＝７．５）、白色マスターバッチ（酸化チタンマスターバッチ）、帯電防止剤マスターバッチ（非イオン系界面活性剤）を配合したものであって、配合比は１００：１０：０．５であり、
前記中間層は、ホモポリプロピレン（ＭＦＲ＝７．５）、充填材マスターバッチ（タルクマスターバッチ）、白色マスターバッチ（酸化チタンマスターバッチ）を配合したものであって、配合比は８０：２０：３５であり、
前記裏層は、ホモポリプロピレン（ＭＦＲ＝７．５）、黒色マスターバッチ（加色混合黒色マスターバッチ）、帯電防止剤マスターバッチ（非イオン系界面活性剤）を配合したものであって、配合比は８０：２０：３である。
【発明の効果】
【０００８】
本発明による食品容器用の遮光性印刷ラベルは以上のように構成されているから、このラベルを容器にインモールドすることによって、外的光による内容物の劣化を防ぐと共に、各工程での品質管理でも誤検知することなく生産精度を向上させることができる。
【図面の簡単な説明】
【０００９】
【図１】本発明による食品容器用の遮光性印刷ラベルの拡大断面図である。
【図２】食品容器用の遮光性印刷ラベルを被着した容器の断面図である。
【図３】本発明による食品容器用の遮光性印刷ラベルの実施例の波長対透過率を示すグラフである。
【図４】比較例１の遮光性印刷ラベルの波長対透過率を示すグラフである。
【図５】比較例２の遮光性印刷ラベルの波長対透過率を示すグラフである。
【発明を実施するための形態】
【００１０】
以下図面等を参照して本発明による食品容器用の遮光性印刷ラベルの実施の形態を説明する。
図１は、本発明による食品容器用の遮光性印刷ラベルの実施例の拡大断面図であり、図２は図１の実施例ラベルを被着した食品容器の断面図である。食品容器用の遮光性印刷ラベル１は、表層１ａ，中間層１ｂ，裏層１ｃの３層構造で形成されている。この表層１ａに印刷が施され、表層１ａを外側に向けて、図示しない射出成形用の型内面壁に挿入し、型内に容器２の樹脂を射出して一体成形する。
図２に示すように、容器２の上面にはフランジ３が設けられている。この容器に食品を充填した状態で、フランジ３の表面にアルミホイル（図示せず）を被着密封する。
【００１１】
本発明による遮光性印刷ラベルのフィルム構造は、未延伸３層（１ａ，１ｂ，１ｃ）構造である。裏層１ｃに着色剤を用いて遮光性を持たせる。
従来、遮光性を持たせるためには、着色剤の選定として黒色剤を選定することが最も得策であるとされており、本願食品容器用の遮光性印刷ラベルの実施例と比較対照する比較例１（表２を参照して後述）のようにこの黒色剤を構成する顔料には金属物質である酸化鉄や、発癌性物質であるカーボンブラックを使用しているものが多かった。
【００１２】
これに対して本発明では遮光特性を持たせるために色の三原色の原理を応用して、前述の金属物質等を一切使用しない、藍色着色剤（シアン顔料）、紅色着色剤（マゼンタ顔料）、黄色着色剤（イエロー顔料）を混ぜ合わせたものを黒色系着色剤（黒色系着色マスターバッチ）として使用する。
表１に本発明による食品容器用の遮光性印刷ラベルの詳細を示してある。
【表１】
2010160303.tif 000003
【００１３】
表１に示すように表層（１ａ）はランダムポリプロピレン（ＭＦＲ＝７．５）、白色マスターバッチ（酸化チタンＭＢ（マスターバッチ））、帯電防止剤マスターバッチ（非イオン系界面活性剤）を配合したものであって、配合比は１００：１０：０．５である。
また、表層（１ａ），中間層（１ｂ），裏層（１ｃ）の３層構造の厚さは、図１に図解してあるとおり１００μｍであり、層構成比は０．７５：５：１である。
なおＭＦＲはメルトマスフローレートであり、ランダムポリプロピレンの特性を示す数値である。
【００１４】
中間層（１ｂ）は、ホモＰＰ（ポリプロピレン）（ＭＦＲ＝７．５）、充填材マスターバッチ（タルクＭＢ）、白色マスターバッチ（酸化チタンＭＢ）を配合したものであって、配合比は８０：２０：３５である。
裏層（１ｃ）は、ホモＰＰ（ＭＦＲ＝７．５）、黒色マスターバッチ（加色混合黒色ＭＢ）、帯電防止剤マスターバッチ（非イオン系界面活性剤）を配合したものであって、配合比は８０：２０：３である。
【００１５】
表２に前述した本願実施例ラベルと比較する比較例１を構成する食品容器用の遮光性印刷ラベルの詳細を示してある。
【表２】
2010160303.tif 000004
【００１６】
表２に示すように表層はランダムポリプロピレン（ＭＦＲ＝７．５）、白色マスターバッチ（酸化チタンＭＢ）、帯電防止剤マスターバッチ（非イオン系界面活性剤）を配合したものであって、配合比は１００：１０：０．５である。
また、表層，中間層，裏層の３層構造の厚さは１００μｍであり、層構成比は０．７５：５：１である。
【００１７】
中間層は、ホモＰＰ（ＭＦＲ＝７．５）、充填材マスターバッチ（タルクＭＢ）、白色マスターバッチ（酸化チタンＭＢ）を配合したものであって、配合比は８０：２０：３５である。
裏層は、ホモＰＰ（ＭＦＲ＝７．５）、黒色マスターバッチ（酸化鉄ＭＢ）、帯電防止剤マスターバッチ（非イオン系界面活性剤）を配合したものであって、配合比は６０：４０：３である。
【００１８】
次に本願実施例ラベルと比較する比較例２を構成する食品容器用の遮光性印刷ラベルについて説明する。比較例２は他社の食品容器用の遮光性印刷ラベルと称する製品であり、成分層構成比の詳細は不明であるが、厚さは１００μｍである。
本願実施例ラベルの表層１ａに対応する表面の色は白色であり、裏層１ｃに対応する面は黒色を呈している。
【００１９】
本願実施例ラベルの外光遮断の目的領域は、透過率を５００ｎｍでは無視できる程度に遮断し４００ｎｍ以下の領域で遮断（％Ｔ＝０）にし、それを越える波長領域の遮断特性をある程度維持することである。
これは４００ｎｍ以下の領域からの光が乳製品などの食品の品質を損なうおそれがあることが知られていることによる。また大部分の食品会社でもこの判断に準拠した基準をもっている。
【００２０】
本願実施例ラベルと比較例１，２についての分光特性を、以下の分光光度測定器を用いて測定した。
装置名        ：Ｖ−６７０
機種名        ：Ｖ−６７０
シリアル番号  ：Ａ００３６６１１５４
付属品名            ：ＩＬＮ−７２５
付属品シリアルＮｏ．：４５６７８９
正反射光            ：含む
測光モード          ：％Ｔ
測定範囲            ：２５００〜２００ｎｍ
データ取込間隔      ：１ｎｍ
ＵＶ／Ｖｉｓバンド幅：５．０ｎｍ
ＮＩＲバンド幅      ：２０．０ｎｍ
レスポンス          ：Ｆａｓｔ
走査速度            ：１０００ｎｍ／ｍｉｎ
光源切換            ：３４０ｎｍ
回折格子切換        ：８５０ｎｍ
光源                ：Ｄ２／ＷＩ
フィルタ切換        ：ステップ
補正                ：ベースライン／ダーク
【００２１】
前述した本発明の実施例，比較例１，比較例２の分光透過率測定結果をそれぞれ図３，図４および図５に示す。
本願実施例ラベル（図３）において、遮光を示す透過率（％Ｔ）が読み取れるレベルの目標値を４００ｎｍとした。すなわち４００ｎｍ以下の波長の領域で有効な遮光（％Ｔ＝０）が得られるようにする。
比較例１（図４）では、完全遮光でない領域が４２０ｎｍあたりから（％Ｔ＝０）現れる。
比較例２（図５）では、完全遮光でない領域が４００ｎｍあたりから（％Ｔ＝０）現れる。
本発明の実施例では、完全遮光でない領域が４００ｎｍあたりから（％Ｔ＝０）現れ、それ以上の領域では前２者に比較して低い遮光度を示している。
【００２２】
本願実施例ラベルと比較例１の金属探知機試験結果について説明する。比較例１では酸化鉄マスターバッチを遮光用の材料に使用しているから、これは金属探知機の検出精度を阻害する。なおこの実験は、食品容器用の遮光性印刷ラベル自体を測定するものであって、検体はＡ４サイズのもので各１０枚を用意した。なお比較例２についての測定は出来なかった。下記に金属探知機の詳細を示す。
金属探知測定    １．測定器      ：日新電子工業株式会社製
金属検出機  ＭＳ−３１１７−２５Ｓ１
（サーチコイル型式）
２．位相角設定  ：５５°
【００２３】
前記金属探知機のコンベア上で検体を搬送しながら測定したときの本願実施例の平均出力は０．２Ｖであるが、比較例１のそれは平均４４．０Ｖである。
このことは、比較例１においては、検査対象の食品を大量検査用（全品検査）のコンベアで搬送中に４４．０Ｖ以下のレベルの金属粉末等の磁性体の検出を行うことは不可能であるということになる。例えば０．２Ｖ程度の反応があっても、検出できないことを意味している。
これに対して、本願実施例の場合は、０．２Ｖ程度の反応（金属片や、粉末による）があれば、不審物の混入の可能性があったとして、隔離して詳細な検査を行うことができる。
【００２４】
前述した本願実施例について、図２に示すような射出成形品を用意して成形後のラベル密着力測定をおこなった結果、以下に示すような良好な測定結果が得られた。
ラベル密着力測定  １．測定器    ：引っ張り強度試験機
２．単位      ：Ｎ／１５ｍｍ
３．剥離角度  ：１８０°
４．剥離速度  ：３００ｍｍ／ｍｉｎ
これは従来品と遜色のないものである。
【符号の説明】
【００２５】
１  食品容器用の遮光性印刷ラベル
１ａ  表層
１ｂ  中間層
１ｃ  裏層
２  容器
３  容器のフランジ部
【図１】
2010160303.tif 000005
【図２】
2010160303.tif 000006
【図３】
2010160303.tif 000007
【図４】
2010160303.tif 000008
【図５】
2010160303.tif 000009